(57)【要約】【課題】従来の火災受信機では、感知器回線に接続されている火災感知器の情報を表示することができないという課題があった。【解決手段】信号線Ｌ１を介して接続された中継器２０、及び前記中継器に感知器回線Ｌ２を介して接続された火災感知器３０の異常発生の情報を表示する表示操作部１２と、前記表示操作部１２に前記異常発生の情報を表示する際に、前記中継器２０のアドレス番号を、前記異常発生の情報である文字の近傍に表示するとともに、前記火災感知器３０のアドレス番号を枝番として表示する制御部１１とを設けた。【効果】感知器回線に接続されている火災感知器の情報を表示することができる。【選択図】        図３
2004280575.tif 000002
【特許請求の範囲】
【請求項１】
信号線を介して接続された中継器、及び前記中継器に感知器回線を介して接続された火災感知器の異常発生の情報を表示する表示操作部と、
前記表示操作部に前記異常発生の情報を表示する際に、前記中継器のアドレス番号を、前記異常発生の情報である文字の近傍に表示するとともに、前記火災感知器のアドレス番号を枝番として表示する制御部と
を備えたことを特徴とする火災受信機。
【請求項２】
前記制御部は、前記表示操作部に前記異常発生の情報を表示する際に、前記中継器のアドレス番号を、前記異常発生の情報である文字の近傍に表示するとともに、一覧ボタンを表示し、前記一覧ボタンが操作されると前記異常発生の情報を表示するエリアとは別のエリアに前記火災感知器のアドレス番号を枝番として一覧表示する
ことを特徴とする請求項１記載の火災受信機。
【請求項３】
前記感知器回線上の火災感知器の情報は、前記感知器回線を介して前記中継器が収集し、
前記中継器の情報は、前記信号線を介して前記制御部が収集し、
前記制御部は、前記感知器回線上の火災感知器の情報を前記表示操作部に表示する
ことを特徴とする請求項１又は２記載の火災受信機。
【請求項４】
前記感知器回線上の火災感知器は、火災の検出時には前記感知器回線に対してスイッチング動作によって火災信号を前記中継器に送信し、
自己の機能異常の検出時には前記感知器回線を介して枝番となる自己のアドレス番号とともに異常信号を前記中継器に送信する
ことを特徴とする請求項１又は２記載の火災受信機。
【請求項５】
前記中継器は、前記感知器回線上の火災感知器からの火災信号を前記感知器回線毎に認識するとともに、前記感知器回線上の火災感知器からの異常信号を前記火災感知器のアドレス番号毎に認識する
ことを特徴とする請求項１又は２記載の火災受信機。
【請求項６】
前記中継器は、感知器回線が複数回線接続され、感知器回線毎の火災感知器毎に対応するアドレス番号が付与されている
ことを特徴とする請求項１から請求項５までのいずれかに記載の火災受信機。
【請求項７】
複数の信号線を介して複数の中継器がそれぞれ接続され、
前記複数の中継器には、信号線毎に個別のアドレス番号が付与されている
ことを特徴とする請求項１から請求項６までのいずれかに記載の火災受信機。
【発明の詳細な説明】
【０００１】
【発明の属する技術分野】
この発明は、液晶ディスプレイ（ＬＣＤ：Ｌｉｑｕｉｄ  Ｃｒｙｓｔａｌ  Ｄｉｓｐｌａｙ）等の表示装置に、文字表示によって異常情報等を詳細表示する際に、中継器のアドレス番号に加え、ＡＴＦ感知器のアドレス番号（感知器回線上のアドレス番号）を枝番として表示する火災受信機に関するものである。
【０００２】
【従来の技術】
従来の火災受信機は、次頁切り換えスイッチ又は前頁切り換えスイッチが通常と異なる態様に変化して、次頁又は前頁にもイベントが存在することを知らせる。さらに、画面に、各イベントのメッセージとは別に、火災とガス漏れについての発生総数を常時表示する（例えば、特許文献１参照）。
【０００３】
【特許文献１】
特開平１０−３１７９４号公報（第１頁、図１）
【０００４】
【発明が解決しようとする課題】
上述したような従来の火災受信機では、感知器回線に接続されている火災感知器の情報を表示することができないという問題点があった。
【０００５】
この発明は、上述のような課題を解決するためになされたもので、その目的は、感知器回線に接続されている火災感知器の情報を表示することができる火災受信機を得るものである。
【０００６】
【課題を解決するための手段】
この発明に係る火災受信機は、信号線を介して接続された中継器、及び前記中継器に感知器回線を介して接続された火災感知器の異常発生の情報を表示する表示操作部と、前記表示操作部に前記異常発生の情報を表示する際に、前記中継器のアドレス番号を、前記異常発生の情報である文字の近傍に表示するとともに、前記火災感知器のアドレス番号を枝番として表示する制御部とを設けたものである。
【０００７】
【発明の実施の形態】
実施の形態１．
この発明の実施の形態１に係る火災受信機について図面を参照しながら説明する。図１は、この発明の実施の形態１に係る火災受信機を含む火災報知システムの構成を示す図である。なお、各図中、同一符号は同一又は相当部分を示す。
【０００８】
図１において、火災報知システムは、火災受信機１０と、この火災受信機１０に信号線Ｌ１を通じて接続された中継器２０と、この中継器２０に感知器回線Ｌ２を通じて接続された複数の感知器（Ｓ）３０とから構成されている。さらに、火災受信機１０には、信号線Ｌ１を通じて感知器３０とは異なる信号線Ｌ１を介して火災信号を送出する感知器等のその他の端末機器が接続されている。
【０００９】
また、図１において、火災受信機１０は、制御部１１と、表示操作部１２と、記憶部１３と、送受信部１４とから構成されている。この制御部１１は、ＣＰＵ、タイマー等を含む。また、表示操作部１２は、ＬＣＤ等の表示装置１２Ａを含む。さらに、記憶部１３は、データベース１３Ａを含む。
【００１０】
さらに、図１において、中継器２０は、制御部２１と、送受信部２２と、信号受信部２３と、送受信部２４とから構成されている。この制御部２１は、ＣＰＵ、タイマー等を含む。また、送受信部２２は、信号線Ｌ１を通じて火災受信機１０と接続されている。さらに、信号受信部２３及び送受信部２４は、感知器回線Ｌ２を通じて複数の感知器３０に直列に接続されている。
【００１１】
感知器３０は、例えば、一般型感知器（オンオフ型）と自動試験機能付感知器（以降、ＡＴＦ感知器と略称する。）が混在して接続されている。ＡＴＦ感知器は、試験情報収集のための伝送信号の送受信を行う。なお、ＡＴＦ感知器からの火災信号は、一般型感知器と同じようにオンオフ信号であり、中継器２０の信号受信部２３で受信される。つまり、ＡＴＦ感知器からの火災信号は、伝送信号ではなく、いわゆるスイッチング動作を行い、感知器回線Ｌ２を低インピーダンス状態とする。
【００１２】
図２は、この発明の実施の形態１に係る火災受信機のデータベースの構成例を示す図である。
【００１３】
図２において、データベース１３Ａは、アドレス１３１と、端末名称１３２と、メッセージ１３３と、枝番１３４とを備えて構成されている。アドレス１３１は、信号線Ｌ１に接続される中継器２０、感知器３０等の端末機器に個別に付与される００１、００２などの番号である。端末名称１３２は、中継器、感知器等が該当し、各種の機種を実際には簡略的なコードで設定している。これらの項目以外に、連動設定、感度設定、蓄積有無など、個々の端末に必要なデータ設定が、データベース１３Ａに行われる。メッセージ１３３は、「１階  １番  実験室」等の設置場所を表すための文字列で、最大１６文字である。
【００１４】
図３は、この発明の実施の形態１に係る火災受信機の表示装置の異常（無応答）の表示画面例を示す図である。
【００１５】
図３において、無応答異常時の表示内容例を示し、表示装置１２Ａの左３分の２における最上段ｄ１は、火災情報を表示する領域であり、最上段ｄ１の左側は、アドレス１３１が０５０で、端末名称１３２が中継器（ＡＴＦ感知器対応の中継器は「感知器」と表示するようにしている）で、メッセージ１３３に「１階  １番  実験室」が設定されている。さらに、枝番（通番）１３４として１４が表示されている。
【００１６】
また、図３において、最上段ｄ１の右側は、アドレス１３１が１００で、端末名称１３２が同様の中継器で、メッセージ１３３として「１階  ２番  応接室」が表示されている。また、枝番（通番）１３４として３０が表示されている。なお、図３では用いられていないが、表示装置１２Ａの左３分の２における第２段ｄ２は、火災以外の情報を表示する領域であり、また、第３段ｄ３は、ガス漏れ警報の情報を表示する領域であり、表示の領域として情報の区別が行われている。そして、火災報知システム全体の端末状態は、最上段ｄ１、第２段ｄ２又は第３段ｄ３のいずれかに情報として表示され、確認できるようになっている。
【００１７】
図４は、この発明の実施の形態１に係る火災受信機の表示装置の異常（出力値）の表示画面例を示す図である。
【００１８】
図４において、出力値異常時の表示内容例を示し、最上段ｄ１の左側は、アドレス１３１が０５０で、端末名称１３２が中継器（ＡＴＦ感知器対応の中継器は「感知器」と表示するようにしている）で、メッセージ１３３に「１階  １番  実験室」が設定されている。さらに、枝番（通番）１３４として０４が表示されている。
【００１９】
また、図４において、最上段ｄ１の右側は、アドレス１３１が０５０で、端末名称１３２が同様の中継器で、メッセージ１３３として「１階  ２番  実験室」が表示されている。また、枝番（通番）１３４として２２が表示されている。
【００２０】
自己点検機能付火災感知器（ＡＴＦ感知器）３０を、感知器回線Ｌ２を介して接続される中継器２０があり、この中継器２０を端末機器として信号線Ｌ１に接続可能とする火災受信機１０があり、通常、火災受信機１０のＬＣＤ１２Ａには、異常発生時に、異常を検出した端末機器のアドレス番号および設置位置などの補助メッセージを表示する。このとき、端末機器としての中継器２０から感知器回線Ｌ２を介して先に存在するＡＴＦ感知器３０を特定することはできない。そこで、この発明の実施の形態１は、感知器回線Ｌ２に接続されているＡＴＦ感知器３０のアドレス番号（感知器回線Ｌ２上のアドレス番号）を中継器２０のアドレス番号に加え、枝番として表示するものである。
【００２１】
なお、この枝番の表示は、個々のＡＴＦ感知器３０を特定したい場合であり、火災発生時の火災受信機１０の対応は警戒地区毎の対応が中心であることから、自己点検の結果で異常発生時についてのみ枝番で表示することが好ましい。
【００２２】
つぎに、この実施の形態１に係る火災受信機の動作について図面を参照しながら説明する。
【００２３】
図５は、この発明の実施の形態１に係る火災受信機と中継器とのポーリングの一例を示すタイムチャートである。
【００２４】
信号線Ｌ１は、火災受信機１０と複数の端末機器の一つとしての中継器２０とを接続する。中継器２０を含めて各端末機器には、個々に個別のアドレスが付与されている。この中継器２０には、図１に示すように、感知器回線Ｌ２を介して複数のＡＴＦ感知器３０が接続されている。
【００２５】
この信号線Ｌ１上で信号伝送する場合、所定数の端末機器を一つのグループとして複数のグループを設定し、火災受信機１０が所定のグループを指定し、指定されたグループに属している端末機器が個別に応答するポイントポーリングを実行し、この指定されたグループに属している各端末機器が、自己のアドレスに応じてタイミングを測り、個別に連続的に応答する。
【００２６】
このポイントポーリングを図５に示すように全てのグループに実行することによって、信号線Ｌ１上の全ての端末機器からそれぞれの状態を示す情報を収集し、監視状態では、上記動作を１サイクルとして情報収集を繰り返す。
【００２７】
ここで、上記各端末機器には、端末機器ごとに２桁の１６進数によって定められる信号線Ｌ１上のアドレスが付与されている。すなわち、各端末機器には００ｈ、０１ｈ、…、のようなアドレスが付与され、互いに異なる固有のアドレスとして１個ずつ与えられている。アドレスが付与されている端末機器は、複数のグループ、例えば１５個のグループに分けられ、各グループにはそれぞれ例えば１６台の各種端末機器が属している。
【００２８】
このように、複数の端末機器のそれぞれに、複数の桁数で表示されるアドレスを付与し、アドレス中の特定の桁によってグループ番号を表すことで、「ポイントポーリング」の「グループ情報収集フレーム」においてはグループ番号が共通する複数の端末機器を、ポーリングと同じに呼出すことができる。また、呼出されたグル一プ番号を有する複数の端末機器のそれぞれは、グループ内での各端末機器のアドレスが異なるのを利用して、各端末機器毎に応答タイミングを異なるように割り当てている。
【００２９】
火災受信機１０は、信号線Ｌ１上の各端末機器に対して、後述のポイントポーリング、セレクティング、システムポーリングの各モードによってポーリングを行い、所定の端末機器から情報を収集したり、所定の端末機器を制御する。
【００３０】
図６は、ポイントポーリングを示すタイムチャートであり、「グループ情報集フレーム」と「発信機検出フレーム」とで構成されている。
【００３１】
「グループ情報収集フレーム」は、各端末機器を一つ一つ順次ポーリングする（呼出して応答させる）のではなく、信号線Ｌ１上の各端末機器を例えば１５個のグループにグループ化し、その各グループ毎に、火災受信機１０が呼出すフレームである。呼出されたグループに属する各端末機器は、各端末機器毎に割り当てられた応答タイミング時に、状態情報または種別情報ＩＤ等の要求されたデータを順次、火災受信機１０に返送する。
【００３２】
つまり、この動作では、中継器２０等の複数の端末機器が火災受信機１０に接続されている火災報知システムにおいて、複数の端末機器が複数のグループに分けられ、火災受信機１０がグループ毎にボーリングを行い、複数のグループのうちの所定のグループヘのポーリング信号発信と、上記所定のグループの次ぎのグループヘのポ一リング信号発信との間に、上記所定グループに属する複数の端末機器からの情報を、時分割で受信機１０が受信する。これによれば、１つのグループに属する端末機器が多数である場合に、火災を検出した端末機器を迅速に検出することができる。
【００３３】
ここで、「状態情報」とは、端末機器が火災感知器である場合は、検出した火災現象の物理量データまたは火災信号であり、端末機器が各種中継器である場合は、オンオフ式火災感知器やガス漏れ検知器が接続されているときに、火災信号やガス漏れ信号の有無を示すデータであり、防火戸や地区ベル等の被制御機器が接続されているときに、これらの機器の開閉状態や動作中か否かを示すデータあるいは鳴動中か否かを示すデータであり、その他に、中継器２０のように、自動試験機能を備えた端末機器の場合、異常状態を示す異常信号を示すデータも用いられる。
【００３４】
また、ポイントポーリングを構成する「発信機検出フレーム」は、図示しない発信機が人為的に操作されるもので、発信機の作動情報は信頼性が高いことから、速やかに作動情報を収集するために設けられたフレームである。
【００３５】
図７は、セレクティングを示すタイムチャートであり、「セレクティング」は、所望の端末機器に対応するアドレスを指定して所定の制御命令を送信し、当該端末機器を制御したり、また、任意の端末機器に状態情報等の要求命令を所望の端末機器に送信し、個々の端末機器から状態情報を収集する動作である。
【００３６】
なお、図示しないが、「システムポーリング」は、火災受信機１０が端末機器に対して所定の制御命令を送信し、全ての端末機器を制御するものである。ここで、システムポーリングによる制御命令は、例えば、火災復旧命令（火災信号を出力した火災感知器や中継器等の端末機器を正常な監視状態に復旧させる命令）、地区音響停止命令（鳴動中の地区ベルを停止させる命令）等である。
【００３７】
図８は、図１の火災受信機１０の動作を示すシステムフローチャートである。
【００３８】
まず、火災報知システムの電源を投入することによって立上げが行われた後、初期設定を行い（ステップＳ１）、次に、火災受信機１０に作業員がセレクティング命令を入力したか否かを判別し（ステップＳ２）、次に、入力されていない場合には、システムポーリング命令を入力したか否かを判別し（ステップＳ３）、上記システムポーリング命令が入力されていない場合には、ポイントポーリングを行い（ステップＳ４）、ステップＳ２に戻る。すなわち、図５の伝送が１サイクルになるように、上記動作（ステップＳ２〜Ｓ４）を繰り返す。
【００３９】
図９は、この発明の実施の形態１に係る火災受信機の動作を示すフローチャートである。
【００４０】
図９に示す枝番表示のためのフローチャートにおいて、ステップ１００の監視状態は、図８に示すような、火災受信機１０による各端末機器からの情報収集動作である。監視状態において、火災受信機１０は、図８のステップＳ６におけるセレクティングによって中継器２０からＡＴＦ感知器３０の情報を収集する。
【００４１】
なお、ＡＴＦ感知器３０の火災通知は、伝送に関係なく中継器２０へスイッチング動作で通知する。中継器２０は、火災レベルを検出し、この火災情報をポイントポーリングの返送で火災受信機１０へ送る。
【００４２】
また、ＡＴＦ感知器３０の異常通知は、中継器２０からのポーリングに対する返送で中継器２０へ通知する。このポーリングは、例えば、１分に１回である。中継器２０は、異常情報を図８のステップＳ６におけるセレクティングの返送で火災受信機１０へ送る。
【００４３】
図９のステップ１０１において、火災受信機１０の制御部１１は、セレクティングによって中継器２０から得たＡＴＦ感知器３０の情報に基づいて、無応答異常の有無を判断する。具体的に、セレクティングによる中継器２０からの情報には、感知器回線Ｌ２上のアドレス毎にＡＴＦ感知器３０の応答の有無及び出力値異常の有無がコード化されて含まれている。そして、無応答異常が有の場合（火災受信機１０のセレクティングに対してＡＴＦ感知器３０が無応答の場合）はステップ１０３へ進み、無の場合（ＡＴＦ感知器３０の応答がある場合）には次のステップ１０２へ進む。
【００４４】
次に、ステップ１０２において、制御部１１は、セレクティングによって中継器２０から得たＡＴＦ感知器３０の情報に基づいて、出力値異常の有無を判断する。有の場合（出力値が異常の場合）はステップ１０３へ進み、無の場合（出力値が正常の場合）には元のステップ１００へ戻る。
【００４５】
ステップ１０３において、制御部１１は、無応答異常が有の場合は、表示操作部１２に含まれる表示装置１２Ａに、図３に示すように、無応答異常の文字情報等を表示する。そして、無応答異常の文字情報等を表示装置１２Ａに表示する際に、図３に示すように、中継器２０のアドレス番号を表示するとともに、感知器回線Ｌ２に接続されているＡＴＦ感知器３０のアドレス番号（感知器回線Ｌ２上のアドレス番号）を枝番（通番）として表示する。なお、無応答異常の表示は、セレクティングによって中継器２０から得た無応答の感知器回線Ｌ２上のアドレス番号であって、データベース１３Ａに基づいて、存在すべきアドレス番号の場合である。
【００４６】
また、ステップ１０３において、制御部１１は、出力値異常が有の場合は、表示操作部１２に含まれる表示装置１２Ａに、図３に示すように、出力値異常の文字情報等を表示する。そして、出力値異常の文字情報等を表示装置１２Ａに表示する際に、図３に示すように、中継器２０のアドレス番号を表示するとともに、感知器回線Ｌ２に接続されているＡＴＦ感知器３０のアドレス番号（感知器回線Ｌ２上のアドレス番号）を枝番（通番）として表示する。なお、出力値異常の情報について、データベース１３Ａに基づくＡＴＦ感知器３０の有無に関わらず、表示装置１２Ａに出力値異常として表示する。
【００４７】
すなわち、複数の端末機器に個別のアドレス番号を付与して、信号線Ｌ１を介して接続される火災受信機１０において、上記端末機器の一つとして、感知器回線Ｌ２を介して複数の火災感知器（ＡＴＦ感知器）３０と接続される中継器２０が接続され、複数の火災感知器３０には上記感知器回線Ｌ２上での個別の枝のアドレス番号が付与されるとともに、火災受信機１０は、上記複数の端末機器のいずれかの情報を表示するときには、上記アドレス番号によって特定の端末機器を表示し、また、上記感知器回線Ｌ２上の複数の火災感知器３０のいずれかの情報を表示するときには、上記感知器回線Ｌ２上での上記枝のアドレス番号を、上記感知器回線Ｌ２が接続される中継器２０のアドレス番号とともに表示して、特定の感知器回線Ｌ２上の火災感知器３０を表示する表示装置１２Ａを備えていることを特徴とする。
【００４８】
従って、感知器回線Ｌ２に接続されている火災感知器（ＡＴＦ感知器）３０の枝のアドレス番号（感知器回線Ｌ２上のアドレス番号）を、中継器２０のアドレス番号に加え、枝番として表示するので、火災受信機１０において、感知器回線Ｌ２に接続されている火災感知器３０の情報を表示することができる。
【００４９】
また、感知器回線Ｌ２上の火災感知器３０の情報は、該感知器回線Ｌ２を介して中継器２０が収集して、この中継器２０の情報を信号線Ｌ１を介して火災受信機１０が収集し、この火災受信機１０が上記感知器回線Ｌ２上の火災感知器３０の情報を表示装置１２Ａに表示する。
【００５０】
従って、火災受信機１０が表示する、感知器回線Ｌ２上の火災感知器３０の情報は、中継器２０経由で収集することができる。
【００５１】
また、感知器回線Ｌ２上の火災感知器３０は、火災の検出時には該感知器回線Ｌ２に対してスイッチング動作によって火災信号を中継器２０に送出し、また、自己の機能異常の検出時には上記感知器回線Ｌ２を介して自己の枝のアドレス番号とともに異常信号を中継器２０に伝送送信するものである。
【００５２】
図１０は、この発明の実施の形態１に係る中継器とＡＴＦ感知器との信号伝送の一例を示す波形図である。
【００５３】
図１０において、「親」は図１における中継器２０であり、「子」は図１におけるＡＴＦ感知器３０である。中継器３０が、感知器回線Ｌ２毎に一般型感知器と混在して設けられる複数のＡＴＦ感知器３０のみに個別のアドレスが付与されていて、そのアドレスに基づいてＡＴＦ感知器３０をグループ化して、１５アドレス単位で、ＡＴＦ感知器３０のデータを収集するもので、起動パルス、基準パルス、コマンドＣＭ１を送出する。
【００５４】
起動パルスは、ＡＴＦ感知器３０に伝送開始を認識させるためのパルスであり、中継器２０は、パルス幅２ｍｓのロー（Ｌｏ）パルスを送出する。ＡＴＦ感知器３０の図示しないマイコンは、火災検出動作等の必要な動作後はスリープモードに入るものであり、この起動パルスの受信によってスタートして安定する時間が必要となる。
【００５５】
基準パルスは、伝送上のパルス間隔の基本長となるパルスであり、立下りエッヂ間隔（ハイ（Ｈｉ）からロー（Ｌｏ）への変化タイミングと、次のハイ（Ｈｉ）からロー（Ｌｏ）への変化タイミングの間）で４ｍｓとする。
【００５６】
コマンドＣＭ１は、ＡＴＦ感知器３０への制御コマンドであり、８ビット（ｂ７〜ｂ０）のコードを４つのパルス間隔で示し、各パルスそれぞれについて間隔を判断しコードに置き換える。
【００５７】
このように、１つの立下りエッヂ間隔で２ビットのコードを示し、エッヂ間隔が４ｍｓが００ｂ、６ｍｓが０１ｂ、８ｍｓが１０ｂ、１０ｍｓが１１ｂであり、これらの組み合わせによって、アドレス１〜１５のデータを収集するポーリング１、アドレス１６〜３０のデータを収集するポーリング２のコマンドＣＭ１を形成する。また、詳細に示さないが、ＡＴＦ感知器３０を指定する制御コマンドとしてのセレクティング、ＡＴＦ感知器３０をスリープモードとするスリープ開始コマンド等を利用することができる。そして、ＡＴＦ感知器３０はコマンドＣＭ１を解析して伝送内容を認識する。
【００５８】
つぎに、図１０のスロット０〜１４は、ＡＴＦ感知器３０から中継器２０へ送信するタイミングを定めるものである。ポーリング１または２および自己のアドレスに基づきスロット位置（図１１（ａ）参照）が設定され、ＡＴＦ感知器３０は、設定されたスロットに、正常または異常を表すコードを示すパルス（図１１（ｂ）参照）を送信する。すなわち、各ＡＴＦ感知器３０において、試験機能の結果として機能が正常であればパルス幅２ｍｓで、異常であればパルス幅４ｍｓで、いずれか１つのパルスが返送される。
【００５９】
このような信号伝送を用い、中継器２０は、制御コマンドＣＭ１内にポーリング１または２の制御内容を含め、送信することで、感知器回線Ｌ２に接続されたＡＴＦ感知器３０の正常または異常の情報を個別に収集することができる。同時に、各スロット内のパルスの有無に基づいて、ＡＴＦ感知器３０の無応答を判別する。
【００６０】
なお、この例では１つの感知器回線Ｌ２にアドレス指定できるＡＴＦ感知器３０は３０個までとなっているが、この個数に限定する必要はなく、スロットの数やポーリング１および２の個数によって任意に設定することができる。
【００６１】
このようにして、中継器２０がＡＴＦ感知器３０から火災信号を従来の中継器と同様にスイッチング動作によって一般型感知器を含めて検出するとともに、必要なＡＴＦ感知器３０から、感知器回線Ｌ２における信号伝送によって自動試験結果およびＡＴＦ感知器３０の有無を収集でき、異常または無応答となったＡＴＦ感知器３０が中継器２０で認識できる。
【００６２】
従って、中継器２０が受信する感知器回線Ｌ２上の火災感知器３０の情報は、火災の検出時には検出と同時にスイッチング動作によって火災信号が中継器２０に送出され、また、自己の機能異常の検出時には、火災検出時に比較して急がないので、安定した信号伝送でよいことになる。
【００６３】
また、中継器２０は、感知器回線Ｌ２上の火災感知器３０からの火災信号を該感知器回線Ｌ２毎に認識し、また、上記感知器回線Ｌ２上の火災感知器３０からの異常信号を上記感知器回線Ｌ２上の枝のアドレス番号毎に認識するものである。
【００６４】
従って、中継器２０は、火災信号を感知器回線Ｌ２毎に認識するので、火災感知器３０からの信号はスイッチング動作でよい。そして、異常信号の場合、火災感知器３０が特定できることが好ましく、枝のアドレス番号を利用することができる。
【００６５】
また、中継器２０は、感知器回線Ｌ２を複数回線設けることができ、個々の感知器回線Ｌ２の火災感知器３０に対応する枝のアドレス番号を有するものである。
【００６６】
従って、中継器２０は、感知器回線Ｌ２毎に認識することができ、複数回線設けることができる。
【００６７】
さらに、火災受信機１０は、信号線Ｌ１を複数設けることができ、各信号線Ｌ１には複数の端末機器が接続されるともに、上記複数の端末機器には、個々の信号線Ｌ１毎に個別のアドレス番号が付与されているものである。
【００６８】
従って、火災受信機１０は、信号線Ｌ１を複数設けることができ、端末機器の個数が極めて大きな建物にも対応できる。
【００６９】
実施の形態２．
この発明の実施の形態２に係る火災受信機について図面を参照しながら説明する。なお、この発明の実施の形態２に係る火災受信機の構成は、上記実施の形態１と同様である。
【００７０】
この実施の形態２は、感知器回線Ｌ２に接続されているＡＴＦ感知器３０のアドレス番号（感知器回線Ｌ２上のアドレス番号）を中継器２０のアドレス番号とは別に表示するものとして、中継器２０のアドレス番号にＡＴＦ感知器３０のアドレス番号がある旨を表示して、別操作によって、ＡＴＦ感知器３０のアドレス番号に関する情報を表示するものである。
【００７１】
図１２は、この発明の実施の形態２に係る火災受信機の表示装置の異常（出力値）の表示画面例を示す図である。
【００７２】
図１２において、出力値異常時の表示内容例を示し、最上段ｄ１の左側は、アドレス１３１が０４９で、端末名称１３２が中継器（ＡＴＦ感知器対応の中継器は「感知器」と表示するようにしている）で、メッセージ１３３に「１階  １番実験室」が設定されている。さらに、枝番（通番）を表示させるための『一覧』ボタンＢ１が表示されている。ここで、表示装置１２Ａは、ＬＣＤ等の表示画面であるとともに、タッチパネルに構成され、詳細に説明しないが、『一覧』ボタンＢ１として表示されている領域に対する押圧を検出する入力装置であることを兼ねている。
【００７３】
また、図１２において、最上段ｄ１の右側は、アドレス１３１が０５０で、端末名称１３２が同様の中継器で、メッセージ１３３として「２階  ２番  実験室」が表示されている。
【００７４】
図１３は、この発明の実施の形態２に係る火災受信機の表示装置の異常（出力値）の別の表示画面例を示す図である。すなわち、図１２の表示状態において、『一覧』ボタンＢ１を操作したときの表示状態を示している。
【００７５】
図１３において、出力値異常時の表示内容例を示し、図１２と同様に、最上段ｄ１の左側は、アドレス１３１が０４９で、端末名称１３２が中継器（ＡＴＦ感知器対応の中継器は「感知器」と表示するようにしている）で、メッセージ１３３に「１階  １番  実験室」が設定されている。さらに、枝番（通番）を表示させるための『一覧』ボタンＢ１が表示されている。
【００７６】
また、図１３において、メニューエリアＭ１（右側エリア）に、出力値異常と無応答の枝番（通番）が全て表示されている。これらの枝番は、異常発生、復帰に対し、リアルタイムで更新される。異常（出力値、無応答）の表示は、全て復帰した場合にはメニューエリアが消去される。また、『終了』ボタンＢ２の操作で、通番異常一覧表示が閉じられる。
【００７７】
つぎに、この実施の形態２に係る火災受信機の動作について図面を参照しながら説明する。
【００７８】
図１４は、この発明の実施の形態２に係る火災受信機の動作を示すフローチャートである。
【００７９】
図１４に示す枝番表示のためのフローチャートにおいて、監視状態は、火災受信機１０による各端末機器からの情報収集動作である。監視状態において、火災受信機１０は、セレクティングによって中継器２０からＡＴＦ感知器３０の情報を収集する。
【００８０】
なお、ＡＴＦ感知器３０の火災通知は、伝送に関係なく中継器２０へスイッチング動作で通知する。中継器２０は、火災レベルを検出し、この火災情報をポーリングの返送で火災受信機１０へ送る。
【００８１】
また、ＡＴＦ感知器３０の異常通知は、ポーリングの返送で中継器２０へ通知する。このポーリングは、例えば、１分に１回である。中継器２０は、異常情報をセレクティングの返送で火災受信機１０へ送る。
【００８２】
図１４のステップ２０１において、火災受信機１０の制御部１１は、セレクティングによって中継器２０から得たＡＴＦ感知器３０の情報に基づいて、無応答異常の有無を判断する。有の場合（火災受信機１０のセレクティングに対してＡＴＦ感知器３０が無応答の場合）はステップ２０３へ進み、無の場合（ＡＴＦ感知器３０の応答がある場合）には次のステップ２０２へ進む。
【００８３】
次に、ステップ２０２において、制御部１１は、セレクティングによって中継器２０から得たＡＴＦ感知器３０の情報に基づいて、出力値異常の有無を判断する。有の場合（出力値が異常の場合）はステップ２０３へ進み、無の場合（出力値が正常の場合）には元のステップ２００へ戻る。
【００８４】
そして、ステップ２０３において、図９のステップ１０３とほぼ同様であり、制御部１１は、無応答異常が有の場合、あるいは出力値異常が有の場合は、表示操作部１２に含まれる表示装置１２Ａに、図１２に示すように、無応答異常あるいは出力値異常の文字情報等を表示する。そして、無応答異常等の文字情報等を表示装置１２Ａに表示する際に、図３または図４の場合の枝番（通番）としての表示の代わりに、図１２に示すように、中継器２０のアドレス番号を表示するとともに、『一覧』ボタンＢ１を表示する。
【００８５】
図１５は、この発明の実施の形態２に係る火災受信機の動作を示すフローチャートであり、図１４におけるステップ２０３による図１２のような表示装置１２Ａの表示状態において、『一覧』ボタンＢ１を操作した場合のフローチャートである。
【００８６】
図１５のステップ２５１において、火災受信機１０の制御部１１は、表示装置１２Ａに表示されている『一覧』ボタンＢ１が操作されたかを判断し、操作された場合には次のステップ２５２へ進む。
【００８７】
次に、ステップ２５２において、表示装置１２ＡのメニューエリアＭ１（右側エリア）に、図１３に示すように、出力値異常と無応答状態にあるＡＴＦ感知器３０の枝番（通番）を各々表示する。
【００８８】
次に、ステップ２５３において、表示装置１２ＡのメニューエリアＭ１（右側エリア）に表示されている『終了』ボタンＢ２が操作されたかを判断し、操作された場合には元のステップ２０３へ戻る。
【００８９】
すなわち、複数の端末機器に個別のアドレス番号を付与して、信号線Ｌ１を介して接続される火災受信機１０において、上記端末機器の一つとして、感知器回線Ｌ２を介して複数の火災感知器３０と接続される中継器２０が接続され、複数の火災感知器３０には上記感知器回線Ｌ２上での個別の枝のアドレス番号が付与されるとともに、火災受信機１０は、上記複数の端末機器のいずれかの情報を表示するときには、上記アドレス番号によって特定の端末機器を表示して、また、上記感知器回線Ｌ２上の複数の火災感知器３０のいずれかの情報を表示するときには、上記感知器回線Ｌ２上の火災感知器３０の情報のある指示表示を、上記感知器回線Ｌ２が接続される中継器２０のアドレス番号とともに表示して、別に上記感知器回線Ｌ２上での上記枝のアドレス番号に関する情報を表示する表示装置１２Ａを備えていることを特徴とする。
【００９０】
従って、感知器回線Ｌ２に接続されている火災感知器（ＡＴＦ感知器）３０の枝のアドレス番号（感知器回線Ｌ２上のアドレス番号）を中継器２０のアドレス番号とともに、枝番ありの指示を表示することで、別に情報表示でき、火災受信機１０において、感知器回線Ｌ２に接続されている火災感知器３０の情報を表示することができるとともに、枝番の部分を一括に表示できる。
【００９１】
上記各実施の形態において、表示装置１２Ａに表示された文字情報等は図示しない火災復旧ボタンの操作等、詳細に説明しない、いわゆる復旧操作によって、クリアされることになる。
【００９２】
【発明の効果】
この発明に係る火災受信機は、以上説明したとおり、感知器回線Ｌ２に接続されている火災感知器（ＡＴＦ感知器）の枝のアドレス番号（感知器回線Ｌ２上のアドレス番号）を、中継器のアドレス番号に加え、枝番として表示するので、感知器回線Ｌ２に接続されている火災感知器の情報を表示することができるという効果を奏する。
【図面の簡単な説明】
【図１】この発明の実施の形態１に係る火災受信機を含む火災報知システムの構成を示す図である。
【図２】この発明の実施の形態１に係る火災受信機のデータベースの構成例を示す図である。
【図３】この発明の実施の形態１に係る火災受信機の表示装置の異常（無応答）の表示画面例を示す図である。
【図４】この発明の実施の形態１に係る火災受信機の表示装置の異常（出力値）の表示画面例を示す図である。
【図５】この発明の実施の形態１に係る火災受信機と中継器とのポーリングの一例を示すタイムチャートである。
【図６】この発明の実施の形態１に係る火災受信機と中継器とのポイントポーリングを示すタイムチャートである。
【図７】この発明の実施の形態１に係る火災受信機と中継器とのセレクティングを示すタイムチャートである。
【図８】この発明の実施の形態１に係る火災受信機の動作を示すシステムフローチャートである。
【図９】この発明の実施の形態１に係る火災受信機の動作を示すフローチャートである。
【図１０】この発明の実施の形態１に係る中継器とＡＴＦ感知器との信号伝送の一例を示す波形図である。
【図１１】この発明の実施の形態１に係る中継器とＡＴＦ感知器との信号伝送のアドレスとスロットの関係、及び正常と異常を表すパルスを示す図である。
【図１２】この発明の実施の形態２に係る火災受信機の表示装置の異常（出力値）の表示画面例を示す図である。
【図１３】この発明の実施の形態２に係る火災受信機の表示装置の異常（出力値）の別の表示画面例を示す図である。
【図１４】この発明の実施の形態２に係る火災受信機の動作を示すフローチャートである。
【図１５】この発明の実施の形態２に係る火災受信機の動作を示すフローチャートである。
【符号の説明】
１０  火災受信機、１１  制御部、１２  表示操作部、１３  記憶部、１４  送受信部、２０  中継器、２１  制御部、２２  送受信部、２３  信号受信部、２４  送受信部、３０  感知器。
【図１】
2004280575.tif 000003
【図２】
2004280575.tif 000004
【図３】
2004280575.tif 000005
【図４】
2004280575.tif 000006
【図５】
2004280575.tif 000007
【図６】
2004280575.tif 000008
【図７】
2004280575.tif 000009
【図８】
2004280575.tif 000010
【図９】
2004280575.tif 000011
【図１０】
2004280575.tif 000012
【図１１】
2004280575.tif 000013
【図１２】
2004280575.tif 000014
【図１３】
2004280575.tif 000015
【図１４】
2004280575.tif 000016
【図１５】
2004280575.tif 000017